(57)【要約】【課題】機体側を何ら改造する必要がなく、かつ、多品種の建設機械に容易にかつ安価に対応できる盗難防止装置を提供する。【解決手段】盗難防止装置１００は、略中空箱形状を備え、走行レバーＬＬ、ＲＬが突出する開口部を上面に備え、開口穴２１２、３１２が両側面にそれぞれ設けられ、重ね合わせられる第１の箱体２００および第２の箱体３００と、開口穴２１２、３１２に挿入され箱体の内部を左右方向に貫通して前傾された前進位置の走行レバーＲＬと後傾された後進位置の走行レバーＬＬとの間に設けられる棒部材および施錠状態でその棒部材が箱体から離脱することを阻止する鍵部材で構成されるロック部材４００とを含む。【選択図】図２
2016168949.tif 000002
【特許請求の範囲】
【請求項１】
無限軌道により走行する無限軌道走行機械の走行を制御する２本の走行レバーを規制することにより前記無限軌道走行機械の盗難を防止する装置であって、前記無限軌道走行機械の走行方向を前後方向として前記前後方向に垂直な水平方向を左右方向として、前記２本の走行レバーはキャビンの底床から上方へ向けて左右方向に並設され、前記キャビンが水平面内で旋回する場合には前記キャビンが前方を向いているとして、
前記盗難防止装置は、
略中空箱形状を備え、前記走行レバーが突出する開口部を上面に備え、開口穴が両側面に設けられ、前記上面および両側面以外に少なくともフレームを備えた枠体と、
前記開口穴に挿入され前記枠体の内部を左右方向に貫通して、前記枠体内において、前傾された前進位置の走行レバーと後傾された後進位置の走行レバーとの間に設けられる棒部材と、
前記棒部材の少なくとも一端に設けられ、施錠状態で前記棒部材が前記枠体から離脱することを阻止する鍵部材とを含む、無限軌道走行機械の盗難防止装置。
【請求項２】
前記底床には、前記２本の走行レバーにそれぞれ接続された２つの走行ペダルが左右方向に並設され、
前記走行ペダルの後側端部と前記底床との間に嵌入される底面を、前記枠体の後側下面に備える請求項１に記載の無限軌道機械の盗難防止装置。
【請求項３】
前記底床には、前記２本の走行レバーにそれぞれ接続された２つの走行ペダルが左右方向に並設され、
前記枠体は、略二重箱形状であって、前記枠体である第１の枠体と前記第１の枠体の開口部および開口穴に対応する開口部および開口穴を備えた、前記第１の枠体とは別個の第２の枠体とで構成され、前記枠体どうしを重ね合わせることができるように前記枠体の外形の形状および大きさに差異があり、
前記走行ペダルの後側端部と前記底床との間に嵌入される底面を、前記第２の枠体の後側下面に備え、
前記棒部材は、前記枠体どうしを重ね合わせた状態で、前記第１の枠体の開口穴および前記第２の枠体の開口穴に挿入され前記枠体の内部を左右方向に貫通して、前記枠体内において、前傾された前進位置の走行レバーと後傾された後進位置の走行レバーとの間に設けられる、請求項１に記載の無限軌道機械の盗難防止装置。
【請求項４】
前記鍵部材は、前記開口穴よりも大きな断面を備え、前記開口穴から突出した棒部材の少なくとも一端に着脱自在に設けられ、開錠状態で前記棒部材から離脱することができ、施錠状態で前記棒部材から離脱することができない、請求項１〜請求項３のいずれかに記載の無限軌道機械の盗難防止装置。
【請求項５】
前記鍵部材が前記棒部材の一端のみに設けられる場合には、前記棒部材の他端の断面は前記開口穴よりも大きな断面を備える、請求項４に記載の無限軌道機械の盗難防止装置。
【請求項６】
前記棒部材は丸棒形状であって、
前記開口穴は、前記丸棒形状に対応した円形状であって、前後方向に複数個が設けられる、請求項１〜請求項５のいずれかに記載の無限軌道機械の盗難防止装置。
【請求項７】
前記開口穴は、上下方向に長い長円形状である、請求項６に記載の無限軌道機械の盗難防止装置。
【請求項８】
前記枠体と前記棒部材と前記鍵部材とは、前記キャビンに搬入可能な工具および装置によっては、切断、変形および破壊が困難な材質および形状である、請求項１〜請求項７のいずれかに記載の無限軌道機械の盗難防止装置。
【発明の詳細な説明】
【技術分野】
【０００１】
本発明は、油圧ショベルなどの建設機械や農作業用トラクター等の無限軌道を備えて走行する無限軌道走行機械の盗難防止装置に関し、特に、走行機械（機体側）を何ら改造する必要がなく、かつ、多品種の走行機械に容易にかつ安価に対応することができる、盗難防止装置に関する。
【背景技術】
【０００２】
油圧ショベルなどの建設機械は、販売価格が高価であるにもかかわらず、同じメーカーの同型機械はエンジンキーを共用しており、また、使用場所も保管管理が十分でない人里離れた場所であるのが一般的である。
夜間は管理人不在である人里離れた場所に置かれた建設機械は、運転者がエンジンキーを取り外すことによりエンジンを起動できないようにしてあっても、同じメーカーの同型機械であれば、共用するエンジンキーを用いてエンジン起動して運転することができる。そのため、エンジンキーが取り外されている建設機械であっても、このように共用するエンジンキーを用いれば走行させることができて、運搬車（トレーラ、トラック）に建設機械を積み込んで運搬することができる。このため、エンジンキーを取り外しただけでは、盗難を防止することができない。
【０００３】
近年、盗んだ油圧ショベルを用いて無人店舗を破壊し、無人店舗内に設置した現金自動受払機（ＡＴＭ）を持ち去り、現金自動受払機に収納された現金を盗む窃盗事件が多発している。
建設機械の盗難を防止するための盗難防止装置として、電気経路を遮断してスタータモータの起動を不可能にして建設機械の運転を不可能にするものや、燃料経路を遮断してエンジンの始動を不可能にして建設機械の運転を不可能にするものが知られている。このような盗難防止装置は、いずれもマイコン等を備えた電子装置で構成されるため、製造価格が高価であり、取り付けに時間を必要とし、実用的ではない。また、建設機械の盗難防止装置として、暗証番号を入力しないとエンジンキーが回らず、スタータモータが起動しないようにしたものが知られている。このような盗難防止装置は、運転者が暗証番号を忘れたり他の暗証番号と混同したりするとスタータモータを起動できないという難点がある。さらに、いずれにしても、建設機械の製造時点でこのような盗難防止装置を組み込んだり、建設機械の製造後にこのような盗難防止装置を組み込む改造工事（機械側（機体側）の改造工事）を行ったりする必要がある。
【０００４】
このような背景の下で、建設機械の走行レバーを前進位置と後進位置とにそれぞれ固定することにより、運搬車への積み込みを防止できる建設機械の盗難防止装置が開発されている。たとえば、特開２００７−０６９８１５号公報（特許文献１）に開示された盗難防止装置は、２つの盗難防止部材と、各盗難防止部材の両側壁に間隔を置いて設けられた走行レバーを受けるための２つの凹部と、２つの盗難防止部材の一端を回動自在に連結する枢着手段と、一方の盗難防止部材の他端に設けられた施錠装置とを有し、２つの盗難防止部材を施錠位置に固定した時、一方の盗難防止部材に設けた２つの凹部は、他方の盗難防止部材に設けた対応する凹部を協働して走行レバーのステム部を囲む２つの孔を形成し、盗難防止部材に形成された２つの孔は、一方の孔が前進位置の走行レバーのステム部を囲み、他方の孔が後進位置の走行レバーのステム部を囲むように配置され、前進位置の走行レバーと後進位置の走行レバーを連結固定することを特徴とする。
【０００５】
この盗難防止装置によると、建設機械の運転席に設けられた無限軌道を操作するための２つの走行レバーを前進位置と後進位置とに連結固定することで、共用するエンジンキーを用いてエンジンを起動しても、建設機械は、一方の無限軌道が前進し他方の無限軌道が後進するというピボットターン状態で、前進も後進もできないので、建設機械を運搬車へ積み込むことによる盗難を防止することができる。
【０００６】
また、このような建設機械の走行レバーは走行ペダルに連結されていることが多いので、この走行ペダルを固定することにより、運搬車への積み込みを防止できる建設機械の盗
難防止装置が開発されている。たとえば、特開２００６−００９４４８号公報（特許文献２）に開示された盗難防止装置は、踏動操作可能な左右の走行用ペダルを備えた建設機械に設けられる建設機械の盗難防止装置であって、左右の走行用ペダルを狭持する断面略コの字形状の第１係止具と、第１係止具に係合し、第１係止具と共に左右の走行用ペダルに係止される第２係止具と、第１係止具と第２係止具の係合状態を機械的にロック可能な錠前とを備えたことを特徴とする。
【０００７】
この盗難防止装置によると、特許文献２の図２に開示された走行レバーに走行ペダルが連結された建設機械において、左右の走行用ペダルを連結し、この連結状態を機械的にロックするために、直進走行以外の走行を不可能として盗難防止を図ることができる。
【先行技術文献】
【特許文献】
【０００８】
【特許文献１】特開２００７−０６９８１５号公報
【特許文献２】特開２００６−００９４４８号公報
【発明の概要】
【発明が解決しようとする課題】
【０００９】
しかしながら、特許文献２に開示された盗難防止装置では、エンジンが始動できれば直進走行以外は不可能であっても直進走行が可能であるので、建設機械の真前または真後に運搬車を位置付けてしまえば、建設機械を運搬車へ積み込むことができてしまう。特許文献１に開示された盗難防止装置では、エンジンが始動できてもピボットターン状態でしか走行できないので、運搬車をどのように位置付けても、自走して建設機械を運搬車へ積み込むことができない。
【００１０】
ところで、特許文献２の図２に示すように、走行レバーは走行ペダルに連結ボルトで接続されているに過ぎない。このため、特許文献２に示すような走行レバーが走行ペダルに連結ボルトにより連結されている建設機械に特許文献１の盗難防止装置を適用しても、この連結ボルトを外されたり、走行レバーの操作竿を切断されたりすると、左右の走行ペダルは自由に操作できて自由に走行できるので建設機械を運搬車へ積み込むことができてしまう。
【００１１】
さらに、これらの特許文献からも容易にわかるように、建設機械の走行レバーおよび／または走行ペダルの大きさ、配置等は建設機械の製造メーカーによって異なっている。このため、後付けの改造工事（建設機械の製造後に機械側（機体側）の改造工事）で盗難防止装置を取り付けるとしても、多品種のそれぞれに対応させた多種類の盗難防止装置が必要となり、多品種少量生産となり製造コスト（設計費用含む）が高価になる。
【００１２】
本発明は、従来技術の上記の問題点に鑑みて開発されたものであり、その目的とするところは、機体側を何ら改造する必要がなく、かつ、多品種の走行機械に容易にかつ安価に対応することができる、無限軌道走行機械の盗難防止装置を提供することである。
【課題を解決するための手段】
【００１３】
上記目的を達成するため、本発明に係る無限軌道走行機械の盗難防止装置は以下の技術的手段を講じている。
すなわち、本発明に係る無限軌道走行機械の盗難防止装置は、無限軌道により走行する無限軌道走行機械の走行を制御する２本の走行レバーを規制することにより前記無限軌道走行機械の盗難を防止する。前記無限軌道走行機械の走行方向を前後方向として前記前後方向に垂直な水平方向を左右方向として、前記２本の走行レバーはキャビンの底床から上方へ向けて左右方向に並設され、前記キャビンが水平面内で旋回する場合には前記キャビンが前方を向いているとする。この盗難防止装置は、略中空箱形状を備え、前記走行レバーが突出する開口部を上面に備え、開口穴が両側面に設けられ、前記上面および両側面以外に少なくともフレームを備えた枠体と、前記開口穴に挿入され前記枠体の内部を左右方向に貫通して、前記枠体内において、前傾された前進位置の走行レバーと後傾された後進位置の走行レバーとの間に設けられる棒部材と、前記棒部材の少なくとも一端に設けられ、施錠状態で前記棒部材が前記枠体から離脱することを阻止する鍵部材とを含む。
【００１４】
好ましくは、前記底床には、前記２本の走行レバーにそれぞれ接続された２つの走行ペ
ダルが左右方向に並設され、前記走行ペダルの後側端部と前記底床との間に嵌入される底面を、前記枠体の後側下面に備えるように構成することができる。
さらに好ましくは、前記枠体は、略二重箱形状であって、前記枠体である第１の枠体と前記第１の枠体の開口部および開口穴に対応する開口部および開口穴を備えた、前記第１の枠体とは別個の第２の枠体とで構成され、前記枠体どうしを重ね合わせることができるように前記枠体の外形の形状および大きさに差異があり、前記走行ペダルの後側端部と前記底床との間に嵌入される底面を、前記第２の枠体の後側下面に備え、前記棒部材は、前記枠体どうしを重ね合わせた状態で、前記第１の枠体の開口穴および前記第２の枠体の開口穴に挿入され前記枠体の内部を左右方向に貫通して、前記枠体内において、前傾された前進位置の走行レバーと後傾された後進位置の走行レバーとの間に設けられるように構成することができる。
【００１５】
さらに好ましくは、前記鍵部材は、前記開口穴よりも大きな断面を備え、前記開口穴から突出した棒部材の少なくとも一端に着脱自在に設けられ、開錠状態で前記棒部材から離脱することができ、施錠状態で前記棒部材から離脱することができないように構成することができる。
さらに好ましくは、前記鍵部材が前記棒部材の一端のみに設けられる場合には、前記棒部材の他端の断面は前記開口穴よりも大きな断面を備えるように構成することができる。
【００１６】
さらに好ましくは、前記棒部材は丸棒形状であって、前記開口穴は、前記丸棒形状に対応した円形状であって、前後方向に複数個が設けられるように構成することができる。
さらに好ましくは、前記開口穴は、上下方向に長い長円形状であるように構成することができる。
さらに好ましくは、前記枠体と前記棒部材と前記鍵部材とは、前記キャビンに搬入可能な工具および装置によっては、切断、変形および破壊が困難な材質および形状であるように構成することができる。
【発明の効果】
【００１７】
本発明の無限軌道走行機械の盗難防止装置によれば、機体側を何ら改造する必要がなく、かつ、多品種の走行機械に容易にかつ安価に対応することができる。
【図面の簡単な説明】
【００１８】
【図１】本発明に係る無限軌道走行機械の盗難防止装置が適用される建設機械の概略側面図である。
【図２】本発明に係る無限軌道走行機械の盗難防止装置の施錠時の状態を示す斜視図である。
【図３】図２の状態からロック部材（棒部材および鍵部材）を離脱させた盗難防止装置を示す斜視図である。
【図４】図３の状態から第１の箱体と第２の箱体とを分離させた盗難防止装置を示す斜視図である。
【図５】図４において底面側から見た盗難防止装置を示す斜視図である。
【図６】本発明に係る無限軌道走行機械の盗難防止装置を構成する第１の箱体を示す斜視図である。
【図７】図６において底面側から見た第１の箱体を示す斜視図である。
【図８】本発明に係る無限軌道走行機械の盗難防止装置を構成する第２の箱体を示す斜視図である。
【図９】図８において可動上面を開けた第２の箱体を示す斜視図である。
【図１０】本発明に係る無限軌道走行機械の盗難防止装置の使用方法を説明するための側面図である。
【発明を実施するための形態】
【００１９】
以下、本発明に係る無限軌道走行機械の盗難防止装置を、図面に基づき詳しく説明する。なお、以下においては、本発明に係る盗難防止装置が使用される無限軌道走行機械の一例として建設機械（図１に示す油圧ショベル１０）について説明するが、その他の無限軌道走行機械にも適している。従って、本発明に係る盗難防止装置は、建設機械に使用され
るものに限定されない。また、本実施の形態においては、油圧ショベル１０の走行方向を前後方向（各図において矢示Ｆ方向が前方向、矢示Ｂ方向が後方向）としてこの前後方向に垂直な水平方向を左右方向（各図において矢示Ｌ方向が左方向、矢示Ｒ方向が右方向）として、キャビン１４が水平面内で旋回する場合には図１に示すようにキャビン１４が前方を向いているとして説明する。
【００２０】
建設機械の概略側面を示す図１を参照して、まず、本実施の形態に係る盗難防止装置１００が使用される油圧ショベル１０について説明する。ここでは、この油圧ショベル１０におけるどの部分にこの盗難防止装置１００が使用されるのかを概略的に説明するものであって、油圧ショベル１０の公知である部分についての説明はここでは繰り返さない。油圧ショベル１０自体の説明および油圧ショベル１０における走行レバーＬと走行ペダルＰの取り付け構造自体の説明については、たとえば特許文献２の図１および図２ならびにそれらの図の説明を参照されたい。
【００２１】
図１に示すように、この油圧ショベル１０は、走行手段としての左右の無限軌道（クローラ）１２（図１には右側のみ図示）を備えた下部走行体と、この下部走行体の上部に旋回可能に搭載された上部旋回体と、この上部旋回体の基礎下部構造をなす旋回フレームに垂直ピンを中心にして水平方向に回動可能に取り付けられたスイングポストと、このスイングポストに上下方向に回動可能に（俯仰可能に）取り付けられた多関節型のフロント装置と、旋回フレーム上に設けられたいわゆるキャノピータイプの運転室であるキャビン１４と、旋回フレーム上の後方部に取り付けられたカウンタウエイトと、旋回フレーム上のキャビン１４以外の大部分を覆う上部カバーとを備えている。
【００２２】
下部走行体は、略Ｈ字形状のトラックフレームを備え、トラックフレームの前方側に上下動可能に設けられ、ブレード用油圧シリンダにより上下動する排土用のブレード１６を備えている。フロント装置は、ブームと、ブームに回動可能に結合されたアームと、アームに回動可能に結合されたバケット１８とを備えている。そして、ブーム、アームおよびバケット１８は、それぞれ油圧シリンダにより動作する。
【００２３】
キャビン１４内には、運転者が着座するシートと、着座した運転者が操作する前後方向に手動操作可能な走行レバーＬおよびその走行レバーＬに連結された踏動操作可能な走行ペダルＰが配置されている。２本の走行レバーＬはキャビン１４の底床から上方へ向けて左右方向に並設されており、キャビン１４の底床には、２本の走行レバーＬにそれぞれ接続された２つの走行ペダルＰが左右方向に並設されている。より詳しくは、運転者から見て左側に配置され左の無限軌道履体１２を前進方向または後進方向に操作するための左走行レバーＬＬおよび左走行ペダルＬＰ、運転者から見て右側に配置され右の無限軌道履体１２を前進方向または後進方向に操作するための右走行レバーＲＬおよび右走行ペダルＲＰが配置されている。限定されるものではないが、左右いずれの走行レバーＬも、前傾された状態で前進位置、後傾された状態で後進位置となり、左右いずれの走行ペダルＰも、シーソータイプであって前傾された状態で前進位置、後傾された状態で後進位置となる。なお、この盗難防止装置１００が使用される油圧ショベル１０は、走行ペダルＰを備えることは必須でないが走行レバーＬを備えることは必須である。
【００２４】
そして、このような油圧ショベル１０に対して、図１に示すように、油圧ショベル１０のキャビン１４内に、本実施の形態に係る盗難防止装置１００が、走行レバーＬの下方（根元の走行ペダルＰ側）を覆い、かつ、走行ペダルＰを覆うように取り付けられる。このように油圧ショベル１０に取り付けられた盗難防止装置１００は、油圧ショベル１０の走行を制御する２本の左右の走行レバーＬの位置を規制しつつ、油圧ショベル１０が走行ペダルＰを備える場合には走行ペダルＰの踏動操作を不可能とすることにより、油圧ショベルの盗難を防止する。
【００２５】
このような盗難防止装置１００の構成（構造）および使用方法について、以下に詳しく説明する。
［構成］
図２に本実施の形態に係る盗難防止装置１００の施錠時の状態を示す斜視図を、図３に図２の状態からロック部材（棒部材および鍵部材）を離脱させた状態を示す斜視図を、図
４に図３の状態から第１の箱体２００と第２の箱体３００とを分離させた状態を示す斜視図を、それぞれ示す。また、図５に、この盗難防止装置１００の下面側の構成を説明するために図４において盗難防止装置１００を底面側から見た斜視図を示す。さらに、図６にこの盗難防止装置１００を構成する第１の箱体２００を示す斜視図を、図７にこの第１の箱体２００をその底面側から見た斜視図を、図８にこの盗難防止装置１００を構成する第２の箱体３００を示す斜視図を、図９にこの第２の箱体３００の可動上面３５０を開けた斜視図を、それぞれ示す。
【００２６】
上述したように、油圧ショベル１０のキャビン１４内に、図１〜図３に示すように盗難防止装置１００が走行レバーＬの下方（根元の走行ペダルＰ側）を覆うように（走行レバーＬと走行ペダルＰとの連結ボルトを取り外したり走行レバーＬを切断したりできないように）、かつ、走行ペダルＰを覆うように（走行ペダルＰを踏動操作できないように）取り付けられる。施錠状態においては、盗難防止装置１００を構成する箱体（ここでは第１の箱体２００および第２の箱体３００が一体化されているか別個の２つの箱体であるのかを問わない）の内部を左右方向に貫通して、第１の箱体２００（さらに第２の箱体３００）内において、前傾された前進位置の走行レバーＲＬ（またはＬＬ）と後傾された後進位置の走行レバーＬＬ（またはＲＬ）との間に棒部材４１０が差し込まれ、かつ、施錠状態で棒部材４１０が第１の箱体２００（さらに第２の箱体３００）から離脱することを阻止する鍵部材４２０が設けられている。
【００２７】
なお、本実施の形態においては、盗難防止装置１００を構成する箱体は第１の箱体２００と第２の箱体３００とで構成されるものとして説明するが、このような別個の箱体ではなく第１の箱体２００と第２の箱体３００とが一体化された１つの箱体であっても構わない。さらに、本実施の形態においては、盗難防止装置１００を構成する箱体は、略中空箱形状を備えかつ各面を有する箱体であるとして説明するが、このような面を備えた箱体ではなく必要最小限の面（後述する開口部および開口穴を備える上面および左右両側の側面）を備えた枠体であっても構わない。ここで、フレームのみの枠体よりも、より多くの面を備えた箱体の方が、盗難防止の観点からは好ましい。フレームのみの枠体（必要最小限の面は備える）であっても、たとえば走行レバーと走行ペダルとの連結ボルトを外したり走行レバーを切断したりする場合に工具がフレームに邪魔されてボルトを外したり走行レバーを切断することが困難であるが、面を備えた箱体であれば、工具がフレームおよび面にさらに邪魔されてボルトを外したり走行レバーを切断することがさらに困難になるためである。
【００２８】
図２〜図８を参照して、この盗難防止装置１００は、略中空箱形状を備え、走行レバーＬが突出するＬ字形状の開口部３０２を上面（より詳しくは支持上面３２０と可動上面３５０とで構成される上面における可動上面３５０）に備え、開口穴２１２、３１２、３６２が両側面（開口穴３６２は片方の面側のみ）に設けられた箱体（ここでは第１の箱体２００と第２の箱体３００とが一体化したもの）と、開口穴２１２、３１２、３６２に挿入され箱体の内部を左右方向に貫通して、箱体内において、前傾された前進位置の走行レバーＲＬ（またはＬＬ）と後傾された後進位置の走行レバーＬＬ（またはＲＬ）との間に設けられる棒部材４１０と、棒部材４１０の少なくとも一端に設けられ、施錠状態で棒部材４１０が箱体から離脱することを阻止する鍵部材４２０とを含む。なお、以下において、棒部材４１０および鍵部材４２０を含めた構成をロック部材４００と記載する場合がある。上述したように（さらに詳しく後述するように）、第１の箱体２００と第２の箱体３００とが一体化していなくても構わない。
【００２９】
さらに、キャビン１４の底床に左右方向に並設された２つの走行ペダルＬＰ、ＲＰの後側端部と底床との間に嵌入される底面２４０を、箱体の後側下面に備える。
箱体は、別個の２つの略二重箱形状であっても構わない。このような箱体はともに略中空箱形状を備え、走行レバーＬが突出する矩形状の開口部２０２を上面２２０に備え開口穴２１２が両側面に設けられた第１の箱体２００と、略中空箱形状を備え、第１の箱体２００の開口部に対応する走行レバーＬが突出するＬ字形状の開口部３０２を上面（より詳しくは支持上面３２０と可動上面３５０とで構成される上面における可動上面３５０）に
備え、第１の箱体２００の開口穴２１２に対応する開口穴３１２、３６２（開口穴３６２は片方の面側のみ）が両側面に設けられた第２の箱体３００とで構成される。
【００３０】
このように、箱体は、第１の箱体２００と、この第１の箱体２００とは別個の第２の箱体３００とで構成され、これらの第１の箱体２００と第２の箱体３００とを重ね合わせることができるように第１の箱体２００および第２の箱体３００の外形の形状および大きさに差異がある。ここでは、第２の箱体３００の方が第１の箱体２００よりも大きいとする（第２の箱体３００の内形寸法＞第１の箱体２００の外形寸法）が、逆であっても構わない。
【００３１】
図４および図５に示すように、この盗難防止装置１００をセットする場合には、第１の箱体２００を矢示Ｆ方向へ、および／または、第２の箱体３００を矢示Ｂ方向へ移動させて、第１の箱体２００を第２の箱体３００の内方へ収納させて重ね合わせ、この盗難防止装置１００を取り外す場合には、第１の箱体２００を矢示Ｂ方向へ、および／または、第２の箱体３００を矢示Ｆ方向へ移動させて、第１の箱体２００を第２の箱体３００から離脱させて重ね合わせ状態を開放する。
【００３２】
さらに、キャビン１４の底床に左右方向に並設された２つの走行ペダルＬＰ、ＲＰの後側端部と底床との間に嵌入される底面２４０を、第２の箱体３００の後側下面に備える。そして、開口穴２１２、３１２、３６２に挿入され重ね合わせた状態の第１の箱体２００および第２の箱体３００の内部を左右方向に貫通して、重ね合わせた状態の箱体内において、前傾された前進位置の走行レバーＲＬ（またはＬＬ）と後傾された後進位置の走行レバーＬＬ（またはＲＬ）との間に設けられる棒部材４１０と、棒部材４１０の少なくとも一端に設けられ、施錠状態で棒部材４１０が箱体から離脱することを阻止する鍵部材４２０とを含む。
【００３３】
以下においては、箱体が２つの別個の第１の箱体２００および第２の箱体３００で構成されるものとして説明するが、１つの箱体で構成される場合であっても２つの別個の箱体で構成される場合であっても、同様の作用効果を発現できるものとする。
なお、盗難防止装置１００を構成する、箱体（一体化された箱体または第１の箱体２００および第２の箱体）と棒部材４１０と鍵部材４２０とは、キャビン１４に搬入可能な工具（たとえばバール、金鋸等の切断工具、グラインダー等の電動工具）および装置（たとえば溶断装置）によっては、切断、変形および破壊が困難な材質および形状（箱体を構成する金属製の板材の厚み等）である。また、この盗難防止装置１００を構成する箱体（第１の箱体２００と第２の箱体３００とが一体化された箱体、または、第１の箱体２００および第２の箱体３００の別個の２つの箱体）は、立体形状を備えるが、この立体形状はボルト等の締結部材ではなく溶接等の接合手段により形成されているために、容易に分解することもできない。
【００３４】
以下に、この盗難防止装置１００を構成する、第１の箱体２００、第２の箱体３００およびロック部材４００に分けて説明する。
・第１の箱体
図２〜図７を参照して、第１の箱体２００について説明する。第１の箱体２００は、一部の面を備えない直方体の略中空箱形状であって、棒部材４１０が挿入される複数の開口穴２１２が設けられた左右両側の側面２１０と、その側面２１０を連結する上面２２０、正面２３０および底面２４０との５面で構成される。
【００３５】
側面２１０は、図２に示すように第２の箱体３００と重ね合わせられた状態で、踏動面積が大きい走行ペダルＰの前側（走行ペダルＰの前側が左右に広がって踏動できる面積が大きくなっている）を左右方向に突出させるために切欠部２０４が設けられている。さらに、この側面２１０には棒部材４１０が挿入される複数の開口穴２１２が設けられている。この場合において棒部材４１０は丸棒形状であって、開口穴２１２は、丸棒形状に対応した円形状であって、前後方向に複数個が設けられており、好ましくは、開口穴２１２は、上下方向に長い長円形状である。この開口穴２１２の大きさ、位置、個数に対応させて、第２の箱体３００においても開口穴３１２および開口穴３６２が設けられている。
【００３６】
上面２２０は、側面２１０の上側の全体を覆うものではなく一部のみを覆っており、図
２に示すように第２の箱体３００と重ね合わせられた状態で走行レバーＬを突出させるための開口部２０２が設けられている。
正面２３０には、第１の箱体２００を移動させるときに、この盗難防止装置１００を取り扱う作業者（運転者であっても構わない）が把持するＵ字形状のハンドル２３２が設けられている。
【００３７】
底面２４０は、側面２１０の下側の全体を覆うものではなく一部のみを覆っており、図２に示すように第２の箱体３００と重ね合わせられた状態で、キャビン１４の底床に左右方向に並設された２つの走行ペダルＬＰ、ＲＰの後側端部と底床との間に嵌入される。これにより、この盗難防止装置１００を持ち上げようとしても走行ペダルＬＰ、ＲＰの後側端部が底面２４０に引っ掛かり、盗難防止装置１００を持ち上げることができなくなる。
【００３８】
・第２の箱体
図２〜図５、図８〜図９を参照して、第２の箱体３００について説明する。
第２の箱体３００は、一部の面を備えない直方体の略中空箱形状であって、棒部材４１０が挿入される複数の開口穴３１２が設けられた左右両側の側面３１０と、その側面３１０を連結する連結上面３２０、正面３４０および底面３７０と、その側面３１０の前側に設けられた先端面３３０との６面で構成される。なお、必須ではないが、この盗難防止装置１００をセットする場合に走行レバーＬを容易に突出させるために、連結上面３２０と蝶番３５２とにより傾動自在な可動上面３５０が設けられ、連結上面３２０と可動上面３５０とで第２の箱体３００の上面を形成している。
【００３９】
連結上面３２０は左右の側面３１０を連結するとともに、可動上面３５０と傾動自在に連結された蝶番３５２が取り付けられている。可動上面３５０には、走行レバーＬが突出するＬ字形状の開口部３０２を備える。Ｌ字状としているのは、前傾された前進位置の走行レバーＲＬ（またはＬＬ）と後傾された後進位置の走行レバーＬＬ（またはＲＬ）との間に棒部材４１０を挿入するために、左右の走行レバーの傾倒状態に合わせ、開口部分をできるだけ少なくすることにより工具や装置を差し込める面積を少なくして盗難防止効果を高めるためである。
【００４０】
この可動上面３５０には、Ｌ字型の連結部材３５６を介して開口穴３６２を備えた側板３６０が連結されている。連結部材３５６は可動上面３５０とステー３５４を介して接続されている。そして、この可動上面３５０が閉状態になったときには、左右両側の側面３１０の内側に設けられたＬアングル材３１６に可動上面３５０が当接して連結上面３２０とともにこの盗難防止装置１００の上面を形成するとともに、Ｌアングル材３１６に当接して可動上面３５０が位置決めされて、側面３１０に設けられた複数の開口穴３１２の位置と側板３６０に設けられた複数の開口穴３６２の位置とが合致する。この状態で、左右方向にそれぞれ対応する開口穴２１２、３１２、３６２に棒部材４１０を挿入すると、この棒部材４１０が取り外されない限り、可動上面３５０が開状態になることはない。
【００４１】
側面３１０は、図２に示すように第１の箱体２００と重ね合わせられた状態で、踏動面積が大きい走行ペダルＰの前側（走行ペダルＰの前側が左右に広がっている）を左右方向に突出させるために切欠部３０４が設けられている。また、左右両側の側面３１０には、第２の箱体３００を移動させるときのＵ字形状のハンドル３１４が設けられている。
さらに、この側面３１０には棒部材４１０が挿入される複数の開口穴３１２が設けられている。なお、上述したように、この開口穴３１２の大きさ、位置、個数は、第１の箱体２００の開口穴２１２に対応している。また、側板３６０には棒部材４１０が挿入される複数の開口穴３６２が設けられている。なお、上述したように、この開口穴３６２の大きさ、位置、個数は、第１の箱体２００の開口穴２１２（および第２の箱体３００の開口穴３１２）に対応している。
【００４２】
また、側面３１０には、第２の箱体３００を移動させるときに、この盗難防止装置１００を取り扱う作業者（運転者であっても構わない）が把持するＵ字形状のハンドル３１４が左右両側に設けられている。
先端面３３０は、開口部分をできるだけ少なくすることにより工具や装置を差し込める面積を少なくして盗難防止効果を高めるために、左右両側の側面３１０の前側に設けられ
ている。なお、本実施の形態においては、先端面３３０は左右別個に２つの板材を左側の側面３１０と右側の側面３１０とにそれぞれ設けて、中央部に設けておらず前方開口部３０８を備えるが、これは走行レバーＬの傾き等を考慮したためであって、先端面３３０は１つの板材を左側の側面３１０と右側の側面３１０とを連結するように設けて、中央部の前方開口部３０８を設けなくても構わない。
【００４３】
正面３４０は、側面３１０の後側の全体を覆うものではなく一部のみを覆っており、第１の箱体２００を挿入させるための開口部３０６が設けられている。
底面３７０は、側面３１０の下側の全体を覆うものではなく一部のみを覆っており、図２に示すように第１の箱体２００と重ね合わせられた状態で、キャビン１４の底床に左右方向に並設された２つの走行ペダルＬＰ、ＲＰの前側端部と底床との間に嵌入される。これにより、この盗難防止装置１００を持ち上げようとしても走行ペダルＬＰ、ＲＰの前側端部が底面３７０に引っ掛かり、盗難防止装置１００を持ち上げることができなくなる。
【００４４】
・ロック部材
図３〜図５を参照して、ロック部材４００について説明する。ロック部材４００は、主として、棒部材４１０と鍵部材４２０とで構成される。棒部材４１０は、開口穴２１２、３１２、３６２に挿入され箱体の内部を左右方向に貫通して、箱体内において、前傾された前進位置の走行レバーＲＬ（またはＬＬ）と後傾された後進位置の走行レバーＬＬ（またはＲＬ）との間に設けられる。鍵部材４２０は棒部材４１０の少なくとも一端に設けられ、施錠状態で棒部材４１０が箱体から離脱することを阻止する。
【００４５】
鍵部材４２０は、開口穴２１２、３１２、３６２よりも大きな断面を備え、開口穴２１２、３１２、３６２から突出した棒部材４１０の少なくとも一端に着脱自在に設けられ、開錠状態で棒部材４１０から離脱することができ、施錠状態で棒部材４１０から離脱することができない。その結果、鍵部材４２０が施錠状態であることにより、棒部材４１０が箱体から離脱することを阻止することができる。
【００４６】
この鍵部材４２０は、棒部材４１０が挿入される穴を備え、棒部材４１０の長さ方向に垂直な方向に進退するシリンダを備え、たとえば、鍵穴に鍵を挿入して左方向（または逆方向）に半回転させることにより開錠状態から施錠状態へ移行してこのシリンダが進行して、鍵穴から鍵を抜くとこの施錠状態を保持し、鍵穴に鍵を再度挿入して右方向（または逆方向）に半回転させることにより施錠状態から開錠状態へ移行してこのシリンダが退行する。
【００４７】
この鍵部材４２０は棒部材４１０の両端に設けても構わないが、本実施の形態においては、鍵部材４２０は棒部材４１０の一端のみに設けられるものとして、この場合には、棒部材４１０の鍵部材４２０が設けられない他端の断面は開口穴２１２、３１２、３６２よりも大きな断面の頭部４３０を備える。この頭部４３０は棒部材４１０に溶接されている。また、棒部材４１０の鍵部材４２０が設けられる側の断面にはキー溝４１２を備える。このキー溝４１２に施錠状態の鍵部材４２０のシリンダが進行して施錠状態となり、棒部材４１０から鍵部材４２０が離脱することができない。このため、この盗難防止装置１００の施錠状態においては、棒部材４１０が箱体から離脱することを阻止することができる。この施錠状態では図２に示す状態となる。
【００４８】
なお、棒部材４１０が箱体から離脱することを阻止することができる機能を備えるものであれば、上述したロック部材４００に限定されるものではなく、他の鍵部材等であっても構わない。
以上のような構造を備えた盗難防止装置１００の使用方法について説明する。
［使用方法］
油圧ショベル１０の作業が終わると、図１に示すように、盗難防止装置１００をキャビン１４に、この盗難防止装置１００を取り扱う作業者（運転者であっても構わない）が持ち込む。図４および図５に示すように、第１の箱体２００と第２の箱体３００とロック部材４００とを分離させて、左右とも中立位置（ニュートラル位置）にある走行レバーＬが開口部３０２から突出するように、第２の箱体３００を上方から下方へ向けて移動させて設置する。このとき、図９に示すように可動上面３５０を上方へ上げた状態で設置すると
走行レバーＬの位置によらず第２の箱体３００を設置しやすい。なお、このように可動上面３５０を上方へ上げた状態で設置した後には、図８に示すように可動上面３５０を下方へ下げてＬアングル材３１６に可動上面３５０を当接させて連結上面３２０と可動上面３５０とにより盗難防止装置１００の上面を形成させて、走行レバーＬを開口部３０２から突出させる。
【００４９】
次に、走行レバーＲＬ（またはＬＬ）を前傾させて前進位置へ移動させ、走行レバーＬＬ（またはＲＬ）を後傾させて後進位置へ移動させる。このとき、連結ボルトで接続されている走行ペダルＲＰ、ＬＰも走行レバーに対応した位置に移動する。なお、この操作は、次の操作である、第２の箱体３００に第１の箱体２００を重ね合わせた後であっても構わない。
【００５０】
次に、図４および図５に示すように、第２の箱体３００の開口部３０６に第１の箱体２００を進入させて、第１の箱体２００に第２の箱体３００を被せて、これら２個の箱体を重ね合わせる。このとき、図３に示す状態になる。
ただし、複数の開口穴２１２のうちのどの開口穴の位置に開口穴３１２（および開口穴３６２）の位置を合致させるかによって、図３に示す状態とは異なる状態（第１の箱体２００の進入が浅く第１の箱体２００がもっと後側に位置している状態）になってもよい。このときの位置（どこの位置まで第１の箱体を進入させるか）は、図２および図１０（Ａ）および図１０（Ｂ）に示すように、
（１）２つの重ねられた箱体内において、前傾された前進位置の走行レバーＲＬ（またはＬＬ）と後傾された後進位置の走行レバーＬＬ（またはＲＬ）との間に棒部材４１０が設けられる位置であって、
（２）（走行ペダルＰが装備されている場合には）キャビン１４の底床に左右方向に並設された２つの走行ペダルＬＰ、ＲＰのいずれかの後側端部と底床との間に底面２４０が嵌入される位置であって、
（３）（走行ペダルＰの前側が左右に広がっている場合には）踏動面積が大きい走行ペダルＰの前側が切欠部２０４から突出する位置、
である。
【００５１】
油圧ショベル１０の機種の違い等により走行レバーＬおよび／または走行ペダルＰの大きさおよび／または位置が異なる場合には、図１０（Ａ）および図１０（Ｂ）に示すように、複数の開口穴２１２のうちのどの開口穴の位置に開口穴３１２（および開口穴３６２）の位置を合致させるかを調整して上記の（１）〜（３）の条件を満足させる。さらに、上記の（１）〜（３）の条件に加えて、キャビン１４の底床に左右方向に並設された２つの走行ペダルＬＰ、ＲＰのいずれかの前側端部と底床との間に底面３７０が嵌入される位置であることも好ましい。
【００５２】
次に、図３に示すように、ロック部材４００の棒部材４１０を、位置を合致させた開口穴２１２、３１２（および開口穴３６２）に頭部４３０の反対側から挿入して、キー溝４１２がある端部を鍵部材４２０の穴部に挿入して、棒部材４１０に鍵部材４２０を取り付ける。鍵部材４２０の鍵穴に鍵を挿入して左方向（または逆方向）に半回転させることにより開錠状態から施錠状態へ移行させてシリンダを進行させてキー溝にシリンダ先端を嵌合させて施錠状態として、鍵穴から鍵を抜き取る。
【００５３】
この状態では、２つの重ねられた箱体内において、前傾された前進位置の走行レバーＲＬ（またはＬＬ）と後傾された後進位置の走行レバーＬＬ（またはＲＬ）との間に棒部材４１０が設けられており、走行レバーＬの位置を変更することができず、かつ、走行ペダルＰを踏動操作できないので、一方の無限軌道１２が前進し他方の無限軌道１２が後進するというピボットターン状態で、前進も後進もできないので、建設機械を運搬車へ積み込むことによる盗難を防止することができる。
【００５４】
さらに、この状態では、キャビン１４の底床に左右方向に並設された２つの走行ペダルＬＰ、ＲＰのいずれかの後側端部と底床との間に底面２４０が嵌入されており、好ましくはキャビン１４の底床に左右方向に並設された２つの走行ペダルＬＰ、ＲＰのいずれかの前側端部と底床との間に底面３７０が嵌入されているので、この盗難防止装置１００を持
ち上げようとしても走行ペダルＬＰ、ＲＰの後側端部が底面２４０に、前側端部が底面３７０に、それぞれ引っ掛かり、盗難防止装置１００を持ち上げることができない。
【００５５】
さらに、第１の箱体２００も第２の箱体３００も、両側面以外も面を設けて開口部分をできるだけ少なくしているので（棒部材４１０を挿入されていると可動上面３５０が開状態にならないことも加わり）切断工具や溶断装置を差し込める面積が少なく、走行レバーＬと走行ペダルＰとの連結ボルトを外したり走行レバーＬを切断したりしようとしてもこの盗難防止装置１００の内部に切断工具や溶断装置を差し込めることができなく、盗難防止効果を高めることができる。
【００５６】
油圧ショベル１０の作業を開始する場合には、図２の状態から、図３に示すようにロック部材４００の鍵部材４２０を、この盗難防止装置１００を取り扱う作業者（運転者であっても構わない）が開錠して棒部材４１０を引き抜いて、図４に示すように第２の箱体３００から第１の箱体２００を引き抜いて第１の箱体２００と第２の箱体３００とを分離させる。その後、第１の箱体２００と第２の箱体３００とロック部材４００とをキャビン１４内から持ち出して所定の場所にこの盗難防止装置１００を保管する。ただし、盗難防止装置１００をキャビン１４内から持ち出さないで（キャビン１４内に盗難防止装置１００を載置して）、油圧ショベル１０の作業を開始するようにしても構わない。
【００５７】
以上のようにして、本発明に係る盗難防止装置によると、建設機械の機体側を何ら改造する必要がなく、かつ、多品種の建設機械に容易にかつ安価に対応することができ、盗難防止効果も高い。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５８】
本発明は、油圧ショベルなどの建設機械や農作業用トラクター等の無限軌道を備えて走行する無限軌道走行機械の盗難防止に好適であり、走行機械（機体側）を何ら改造する必要がなく、かつ、多品種の走行機械に容易にかつ安価に対応することができる点で、特に好ましい。
【符号の説明】
【００５９】
１０  油圧ショベル
１００  盗難防止装置
２００  第１の箱体
３００  第２の箱体
４００  ロック部材
４１０  棒部材
４２０  鍵部材
【図１】
2016168949.tif 000003
【図２】
2016168949.tif 000004
【図３】
2016168949.tif 000005
【図４】
2016168949.tif 000006
【図５】
2016168949.tif 000007
【図６】
2016168949.tif 000008
【図７】
2016168949.tif 000009
【図８】
2016168949.tif 000010
【図９】
2016168949.tif 000011
【図１０】
2016168949.tif 000012